(57)【要約】【課題】  長時間にわたって釣りをおこなっても、釣竿を操作する手が疲れにくい釣竿を提供する。  【解決手段】  この釣竿は振出形式の釣竿であり、元竿１の穂先側に元上竿２が連結されている。元竿１の穂先側の内周面には弾性材からなる嵌着層１０が形成される。元上竿２の竿元側の外周面には、嵌着層１０に嵌着可能な嵌合雄部１０ａが形成される。この元竿１の嵌着層１０の領域は他の部分に比較してその内径が一段小径化しており、元上竿２の嵌合雄部２ａは嵌着層１０に嵌着可能であると共に、嵌合雄部２ａの竿元側端縁が元竿１の内周面に直接に嵌着している。【選択図】  図１
2005245383.tif 000002
【特許請求の範囲】
【請求項１】
複数の竿体を振出形式に連結してなる釣竿であって、
穂先側の内周面に設けられた弾性材からなる嵌着層を有する第１竿体と、
前記第１竿体の穂先側に連結される竿体であり、竿元側の外周面に形成され前記嵌着層に嵌着可能な嵌合雄部を有する第２竿体とを備えた、釣竿。
【請求項２】
前記第１竿体の前記嵌着層の領域は他の部分に比較してその内径が一段小径化しており、前記第１竿体は前記嵌着層から竿元側に間隔を隔てた内周面に嵌合雌部をさらに有しており、
前記第２竿体の嵌合雄部は前記嵌着層に嵌着可能であると共に、前記嵌合雄部の竿元側端縁が前記嵌合雌部に嵌着可能である、請求項１に記載の釣竿。
【請求項３】
前記嵌着層は前記第１竿体の穂先側端部に周方向の全周にわたって形成されている、請求項１又は２に記載の釣竿。
【発明の詳細な説明】
【技術分野】
【０００１】
本発明は、複数の竿体を連結してなる釣竿に関する。特に、竿体同士を振出形式で連結している釣竿に関する。
【背景技術】
【０００２】
近時の多くの釣竿は、先細りテーパの施された筒状体である竿体を複数本備え、これらの竿体を連結して一本の釣竿となっている。このような竿体同士の連結手法の１つとして、振出形式と呼ばれるものがある。この振出形式において竿体同士が連結されている釣竿では、穂先側に位置する小径の竿体が順次竿元側に位置する太径の竿体の内部に収納され、且つ、穂先側に小径の竿体が引き出されたときに、小径の竿体の竿元側端部外周と大径の竿体の穂先側端部内周とが嵌着する。
【０００３】
このような竿体同士を連結するための部分では、竿体同士の摩耗を防止や、曲げ剛性を円滑にするために様々な技術が提案されてきた。例えば、補助的に特殊なポリエステル繊維を用いたプリプレグを、竿体同士の嵌着部分に積層する技術や（例えば、特許文献１参照）、強化繊維を軸方向に対して傾斜させたプリプレグを積層する技術などである。
【特許文献１】特開2002-101790号公報
【発明の開示】
【発明が解決しようとする課題】
【０００４】
ところで、長時間にわたって釣りをおこなっていると生じる問題の１つに、繰り返し釣竿を振り、仕掛けを狙ったポイントに投じ、釣竿を振り上げて魚を釣り上げる作業などを繰り返していると、釣竿を振る手が非常に疲れる。
【０００５】
上述のように、これまでは、竿体同士を連結するための嵌合部分に関しては、専ら、摩耗による嵌着力の低下、竿体の曲がりの調子を整えることなどの問題点のみが着目されてきた。上述のような手の疲れという問題をも配慮した竿体同士の連結部分の改良はこれまでに為されていない。
【０００６】
本発明は、長時間にわたって釣りをおこなっても、釣竿を操作する手が疲れにくい釣竿を提供するものである。
【課題を解決するための手段】
【０００７】
長時間にわたって釣りをおこなっている際に釣竿を操作する手が疲れる原因の１つが、釣竿を振った際に釣竿に生じた振動が穂先側から跳ね返って手元側に至り釣竿を操作する手に作用するという点にあるということを、本発明者等は見出した。本発明は係る知見に基づくものである。
【０００８】
本発明の釣竿は、複数の竿体を振出形式に連結してなる釣竿であって、穂先側の内周面に設けられた弾性材からなる嵌着層を有する第１竿体と、第１竿体の穂先側に連結される竿体であり、竿元側の外周面に形成され嵌着層に嵌着可能な嵌合雄部を有する第２竿体とを備えたものである。
【０００９】
この釣竿では、第１竿体の穂先側に第２竿体を振出形式に連結して一本の釣竿となる。第２竿体を第１竿体の穂先側に振出形式で引き出すと、第２竿体の嵌合雄部が第１竿体の嵌着層に嵌着し、両者が連結固定される。釣竿が振られて振動が生じ、釣竿の穂先側からその振動が手元側に跳ね返ってきても、第２竿体と第１竿体との嵌着は嵌着層を介したものであるところ、嵌着層の弾性材により、第１竿体に跳ね返ってくる振動が弱められる。
【００１０】
例えば、第１竿体の嵌着層の領域は他の部分に比較してその内径が一段小径化しており、第１竿体は嵌着層から竿元側に間隔を隔てた内周面に嵌合雌部をさらに有するものとしてもよい。この場合、第２竿体を第１竿体の穂先側に引き出して連結すると、第２竿体の嵌合雄部は嵌着層に嵌着し、さらに、嵌合雄部の竿元側端縁が嵌合雌部に嵌着する。
【００１１】
即ち、第２竿体はその竿元側端縁と嵌着層という軸長方向に２カ所の離れた箇所で第１竿体に接しており、第２竿体の振動は竿元側端縁を中心にして生じ、弾性材からなる嵌着層がこれを効果的に吸収する。なお、嵌着層は第１竿体の穂先側端部に周方向の全周にわたって形成するのが好ましい。周方向の全周にわたって嵌着層を形成することで、第１竿体の穂先側に第２竿体を引き出した際、嵌着層と第２竿体とで第１竿体の穂先側に蓋をする形になり、外部から第１竿体内へ水などが侵入することも防止できる。
【発明の効果】
【００１２】
本発明によれば、竿体同士の連結部分において、穂先側に配置される竿体から手元側への振動が減退され、長時間にわたって釣りをおこなっても、釣竿を操作する手が疲れにくい。
【発明を実施するための最良の形態】
【００１３】
［第１実施形態］
本発明の１つの実施形態を採用した釣竿は、例えば、元竿１と、元竿１の穂先側に順次振出形式で元上竿２，中竿及び穂先竿（図示せず）が連結されている（図１参照）。各竿体はそれぞれ炭素繊維やガラス繊維に合成樹脂を含浸させたプリプレグ素材から構成される先細りテーパの施された管状体である。もっとも、竿体の本数はこれに限定されるものではなく、任意に設定可能である。
【００１４】
元竿１の竿元側の周面には、リールを脱着自在に装着可能なリールシートや釣人が元竿１を把持して釣り操作をするためのグリップ等が設けられる。さらに、リールからの釣糸を穂先側に順次導くための釣糸ガイドが周面に配置される。また、元上竿２の周面にも、リールからの釣糸を穂先側に導くための釣糸ガイドが、軸長方向に間隔を隔てて複数配置される。
【００１５】
図１を参照しつつ、元竿１と元上竿２との連結部分につき説明する。
元竿１は上述のように全体として先細りテーパの施された管状体であり、穂先側端部には、弾性材（例えば、ミラクトラン・EVA樹脂等）からなる嵌着層１０が設けられている。嵌着層１０は、例えば、穂先側端部に鍔状に外径が拡径した部分を有する円筒型の部材から形成される。この鍔状の部分の外径は元竿１の穂先側の外径に整合しており、鍔状の部分以外が元竿１の穂先側に内嵌されている。嵌着層１０を形成する円筒型の部材の内径は後述の元上竿２の嵌合雄部の外径に合わせて調整される。嵌着層１０は元竿１とは別途に円筒型の部材を形成し、これを接着剤等で元竿１に固定する。
【００１６】
元上竿２も上述のように全体として先細りテーパの施された管状体である。その竿元側は外径が他の部分より一段太径化しており、この太径化した部分が嵌合雄部２ａである。このような嵌合雄部２ａは、元上竿２を製造する際に、竿元側の所定の領域に補助プリプレグを別途積層して焼成し、焼成後にその外周面を研磨し径を調整する手法などにより形成される。
【００１７】
この嵌合雄部２ａは、詳しくは、穂先側において竿元側ほど徐々に太径化する第１テーパ部分と、第１テーパ部分の竿元側に連続する軸長方向において殆ど径の変化しないストレート部分と、ストレート部分の竿元側に連続し竿元側ほど徐々に太径化する第２テーパ部分とに区分される。ストレート部分の外径は上述の嵌着層１０の内径に合わせて調整される。第２テーパ部分の竿元側端部（即ち、元上竿２の竿元側端部）の外径は元竿１の穂先側の内径（詳しくは、嵌着層１０より軸長方向にやや竿元側に離れた部分の内径）に合わせて調整されている（図１のＰ参照）。
【００１８】
なお、ここでは、元竿１と元上竿２との連結部分において、竿体同士の連結部分を説明しているが、その他の竿体同士の連結部分においても、同様の構造を採用してもよい。
【００１９】
このように構成されている釣竿では、元竿１の穂先側に元上竿２を引き出し、さらにその余の竿体も順次穂先側に引き出して、竿体同士を連結して一本の釣竿となる。例えば、元上竿２を元竿１の穂先側に振出形式で引き出すと、図１に示すように、元上竿２の嵌合雄部２ａが元竿１の穂先側の内周面に嵌着し、両者が連結固定される。詳しくは、嵌合雄部２ａのストレート部分が元竿１の嵌着層１０に、嵌合雄部２ａの竿元側端縁が元竿１の穂先側の内周面（詳しくは、嵌着層１０より軸長方向にやや竿元側に離れた部分Ｐ：周状に嵌合雄部２ａの一部が嵌着する嵌合雌部となっている）に、それぞれ嵌着する。
【００２０】
元竿１を把持して行われる釣り操作の際に振られた釣竿には、元竿１側から振動が生じる。そして、釣竿の穂先側からその振動が手元側に跳ね返ってくる。このような手元側に跳ね返って来る振動は嵌着層１０の弾性材により弱められ、元竿１を把持する釣人の手に跳ね返ってくる振動が弱められることになる。特に、元上竿２はその竿元側端縁と嵌着層１０という軸長方向に２カ所の離れた箇所で元竿１に接して連結されている。よって、元上竿２の振動は竿元側端縁を中心にして生じ、弾性材からなる嵌着層１０がこれを効果的に吸収する。なお、この元竿１の嵌着層１０は鍔状の部分を有する円筒型の部材から形成されており、元上竿２を嵌着させた際には、外部から元竿１内へ水が侵入するのも防止している。また、この鍔状の部分が元竿１の穂先側端縁の破損も防止している。
【００２１】
［第２実施形態］
上記実施形態の変形例を図２に示す。この釣竿でも、元竿１１の穂先側に元上竿１２が振出形式に連結されている。
【００２２】
元竿１１も全体として先細りテーパの施された管状体である。穂先側端部には、弾性材（例えば、ミラクトラン・EVA樹脂等）からなる嵌着層２０が設けられている。嵌着層２０は、元竿１１の穂先側端部から軸長方向に凡そ５ｍｍ程度の領域にわたってその内面に形成されるものである。例えば、図３に示すような手法で、このような元竿１１は製造されている。
【００２３】
まず、所定のテーパを施した芯材５０を準備して必要に応じて離型材などをその周面に塗布しておく。芯材５０の穂先側の領域に嵌着層２０を形成するための弾性材シートＳ１を巻回する。この弾性材シートＳ１及び芯材５０の周面に、さらに、所定のプリプレグ素材Ｓ２を巻回する。プリプレグ素材Ｓ２は、シート状のものを芯材５０に巻回する他、テープ状に加工したものを螺旋状に巻回してもよい。もしくは、シート状、テープ状のものを組み合わせて利用してもよい。これらのプリプレグ素材は炭素繊維等が一定の方向に引き揃えられて包含されているが、繊維の方向も、芯材５０の軸長方向・周方向・螺旋方向と任意に組み合わせて選択される。その後、保護用テープなどを最外周に巻回した後に、炉内においてこれらの素材を焼成する。芯材５０を引き抜き、両端を切りそろえ、外周面を研磨して径を調整して元竿１１が製造される。その後、元竿１１の穂先側の内周面をさらに研磨し径を調整する。このようにして、嵌着層２０の内面とその余の元竿１１の内面とは面一化している。
【００２４】
元上竿１２も上述のように全体として先細りテーパの施された管状体である。その竿元側は外径が他の部分より一段太径化しており、この太径化した部分が嵌合雄部１２ａである。この嵌合雄部１２ａは、詳しくは、穂先側において竿元側ほど徐々に太径化する第１テーパ部分と、第１テーパ部分の竿元側に連続する第１テーパ部分より緩やかに竿元側ほど徐々に太径化する第２テーパ部分とに区分される。第２テーパ部分の外径が上述の元竿１１の穂先側の内径（嵌着層２０を含む）に合わせて調整される。
【００２５】
このように構成されている釣竿では、元竿１１の穂先側に元上竿１２を引き出し、さらにその余の竿体も順次穂先側に引き出して、竿体同士を連結して一本の釣竿となる。例えば、元上竿１２を元竿１１の穂先側に振出形式で引き出すと、図２に示すように、元上竿１２の嵌合雄部１２ａが元竿１１の穂先側の内周面に嵌着し、両者が連結固定される。詳しくは、嵌合雄部２ａの第２テーパ部分が元竿１の嵌着層２０及びその余の内周面に嵌着する。
【００２６】
元竿１１を把持して行われる釣り操作の際に、振られた釣竿には元竿１１側から振動が生じる。そして、釣竿の穂先側からその振動が手元側に跳ね返ってくる。このような手元側に跳ね返って来る振動は嵌着層２０の弾性材により弱められ、元竿１１を把持する釣人の手に跳ね返ってくる振動が弱められる。
【００２７】
なお、この実施形態においては、嵌着層２０のみではなく元竿１１の内周面それ自体も嵌合雄部１２ａと嵌着している。これに代えて、嵌着層２０の軸長方向長さを長く設定し、嵌着層２０の内周面のみで嵌合雄部１２ａを受けるようにしてもよい。
【００２８】
［第３実施形態］
さらに、別の実施形態を図４に示す。この釣竿でも、元竿２１の穂先側に元上竿２２が振出形式に連結されている。
【００２９】
元竿２１も全体として先細りテーパの施された管状体である。穂先側端部には、弾性材（例えば、ミラクトラン・EVA樹脂等）からなる嵌着層３０が設けられている。嵌着層３０は、元竿２１の穂先側端部から軸長方向に凡そ５ｍｍ程度の領域にわたってその内面に形成されるものである。例えば、図５に示すような手法で、このような元竿２１は製造されている。
【００３０】
まず、所定のテーパを施した芯材６０を準備して必要に応じて離型材などをその周面に塗布しておく。芯材６０はその穂先側の一部においては一段小径化している。この芯材６０の穂先側の一段小径化している領域に嵌着層３０を形成するための弾性材シートＳ１を巻回する。そして、この弾性材シートＳ１及び芯材６０の周面に、さらに、所定のプリプレグ素材Ｓ２を巻回する。その余の工程は上記第２実施形態と同様であり説明を省略する。芯材６０を太径側に引き抜くことで、穂先側の嵌着層３０部分が他の部分より一段小径化した管状体である元竿２１を得ることができる。
【００３１】
元上竿２２も上述のように全体として先細りテーパの施された管状体である。その竿元側は外径が他の部分より一段太径化しており、この太径化した部分が嵌合雄部２２ａである。この嵌合雄部２２ａは、詳しくは、穂先側において竿元側ほど徐々に太径化する第１テーパ部分と、第１テーパ部分の竿元側に連続する第１テーパ部分より緩やかに竿元側ほど徐々に太径化する第２テーパ部分と、第２テーパ部分の竿元側に連続する第２テーパ部分より急激に竿元側ほど太径化する第３テーパ部分とに区分される。第２テーパ部分の外径が上述の元竿２１の嵌着層３０の内径に合わせて調整される。また、第３テーパ部分の竿元側端部（即ち、元上竿２２の竿元側端部）の外径は元竿１１の穂先側の内径（詳しくは、嵌着層３０より軸長方向にやや竿元側に離れた部分の内径）に合わせて調整されている（図４のＰ参照）。
【００３２】
このように構成されている釣竿においても、上述の第１実施形態と同様に利用することができる。
【図面の簡単な説明】
【００３３】
【図１】第１実施形態に係る元竿１と元上竿２との連結部分を示した図。
【図２】第２実施形態に係る元竿１１と元上竿１２との連結部分を示した図。
【図３】図２の元竿１１の製造工程を示した図。
【図４】第３実施形態に係る元竿２１と元上竿２２との連結部分を示した図。
【図５】図４の元竿２１の製造工程を示した図。
【符号の説明】
【００３４】
１，１１，２１  元竿
２，１２，２２  元上竿
１０，２０，３０  嵌着層
【図１】
2005245383.tif 000003
【図２】
2005245383.tif 000004
【図３】
2005245383.tif 000005
【図４】
2005245383.tif 000006
【図５】
2005245383.tif 000007